(57)【特許請求の範囲】
【請求項１】
画像を表示する表示パネルを筐体内に収納する表示装置であって、
前記筐体を覆い、かつ前記表示パネルの表示面に配置される透明保護部材を備え、
前記透明保護部材の前記表示パネルと対向する面において、前記表示パネルの表示領域に対応する位置に透明接着部材が配置されて前記表示パネルが貼り付けられ、
前記表示パネルの前記表示領域より大きく、前記表示パネルを収納する筐体よりも小さい開口部を有し、前記透明保護部材の端部までの周辺領域に配置された粘着部材および当該粘着部材を介して貼り付けられたシートを備え、前記粘着部材および前記シートは、連続する枠状であって、前記開口部端と前記透明接着部材端とが、所定の間隔を備えて隣接して配置され、前記シートは前記粘着部材に対応して配置され、一方の面にのみ前記粘着部材を備えた表示装置。
【請求項２】
前記透明保護部材の前記表示パネルと対向する面において、前記透明保護部材および前記粘着部材間に、印刷部を形成したことを特徴とする請求項１記載の表示装置。
【請求項３】
前記粘着部材は、遮光性を有することを特徴とする請求項１または２に記載の表示装置。
【請求項４】
前記シートは、遮光性を有することを特徴とする請求項１乃至３のいずれか１項に記載の表示装置。
【発明の詳細な説明】
【技術分野】
【０００１】
本発明は、表示パネルの表示面を保護するための保護部材を備えた表示装置に関する。
【背景技術】
【０００２】
近年の表示装置は、表面を保護するためにガラス板等からなる保護板が配置されている。また、特に、携帯電話や携帯型情報端末などで使用される表示装置は、表示装置よりも大きい保護板を表示装置の筐体の表面に配置し、保護板を露出させることで機能性や意匠性を高めるという製品が増えている。このような表示装置は、表面に保護板が配置されるため、外部からの衝撃により保護板が割れた際にガラス片が飛散することを防止するため、保護板に光硬化性樹脂からなる飛散防止膜を形成する、または、飛散防止シートを貼り付けている（特許文献１、特許文献２、および特許文献３）。
【先行技術文献】
【特許文献】
【０００３】
【特許文献１】特開２００７−２７９５５４号公報
【特許文献２】特開２００９−２１６７６４号公報
【特許文献３】実開平７−３６２４２号公報
【発明の概要】
【発明が解決しようとする課題】
【０００４】
特許文献１に記載の光硬化性樹脂によって飛散防止膜を得る方法では、樹脂が硬化する際に収縮し、樹脂が塗布された面と塗布されていない面とで収縮率が異なるため、保護板に反りや変形が発生するという問題がある。
【０００５】
特許文献２に記載の液晶表示装置は、保護板１を液晶モジュールの表示面に配置し、保護板１の表面に飛散防止シート１３を密着接合させているが、長期間の使用により、保護板１の周辺部より飛散防止シート１３が剥がれるという問題がある。
【０００６】
また、特許文献３に記載の手書き入力装置は、液晶表示装置８上に載置されたガラス板１０の下面に、ガラスの飛散防止のための透明フィルム２２が貼り付けた構成であるが、ガラス板１０は空気層を介して液晶表示装置８に載置されていることおよび透明フィルム２２の屈折率がガラスの屈折率と異なる場合、多重反射が発生しムラが発生するという問題がある。
【０００７】
本発明は、上記事情に鑑みてなされたものであり、表示装置の表面に配置する保護板が割れた場合であっても、視認性を低下させることなく、保護板の破片が飛散することを防止して安全性を確保した表示装置を提供することを目的とする。
【課題を解決するための手段】
【０００８】
本発明の表示装置は、画像を表示する表示パネルを筐体内に収納する表示装置であって、筐体を覆い、かつ表示パネルの表示面に配置される透明保護部材を備え、透明保護部材の表示パネルと対向する面において、表示パネルの表示領域に対応する位置に透明接着部材が配置されて表示パネルが貼り付けられ、表示パネルの表示領域より大きく、表示パネルを収納する筐体よりも小さい開口部を有し、透明保護部材の端部までの周辺領域に配置された粘着部材および当該粘着部材を介して貼り付けられたシートを備え、粘着部材およびシートは、連続する枠状であって、開口部端と透明接着部材端とが、所定の間隔を備えて隣接して配置され、シートは粘着部材に対応して配置され、一方の面にのみ粘着部材を備えたことを特徴とする。
【発明の効果】
【０００９】
本発明による表示装置によれば、表示装置の表面に配置する保護部材が割れた場合であっても、視認性を低下させることなく、保護部材の破片が飛散することを防止して、安全性を確保することができる。
【図面の簡単な説明】
【００１０】
【図１】本発明の表示装置に係る分解斜視図である。
【図２】本発明の表示装置に係る平面図である。
【図３】本発明の表示装置に係る断面図である。
【図４】本発明の表示装置に係る断面図である。
【図５】本発明の表示装置に係る断面図である。
【発明を実施するための形態】
【００１１】
以下、本発明に係る面状光源装置の実施形態を図面に基づいて説明する。各図において同一の符号を付されたものは、実質的に同様の構成要素を示す。
【００１２】
実施の形態１．
図１は本発明の表示装置の分解斜視図、図２は図１の表示装置の正面図、図３は図２の表示装置をＡ-Ａ方向から見た断面図である。
【００１３】
図１乃至図３に示すように、表示パネル１０はガラスなどで構成される第１の基板であるＴＦＴ(Ｔｈｉｎ  Ｆｉｌｍ  Ｔｒａｎｓｉｓｔｏｒ：薄膜トランジスタ）基板８と第２の基板である対向基板７とが貼り合わされ、これら２枚の対向基板７、ＴＦＴ基板８間に液晶（図示せず）が注入されている。それぞれの基板の表面には、基板の大きさよりも小さいサイズで形成される上偏光板６および下偏光板９が貼り付けられている。ここで、ＴＦＴ基板８にはＴＦＴを含む画素および共通電極などが形成され、対向基板７にはカラーフィルタや画素の対向電極などが形成される。また、表示パネル１０に映像信号を入力するための回路基板（図示せず）をＴＦＴ基板８に配置させている。表示パネル１０の下偏光板９を配置した背面側には、バックライトユニット１１を配置する。表示パネル１０とバックライトユニット１１を筐体１２に収納して、表示装置１００を構成している。なお、対向基板７上の上偏光板６の前面側（表示パネル１０の表示面）には、表示パネル１０を保護するための透明保護部材１が透明粘着材２によって貼り付けられている。また、本発明において、透明保護部材１は、バックライト１１および表示パネル１０を収納した筐体１２を覆うように配置される。
【００１４】
＜透明保護部材＞
本発明の表示装置１０に用いられる透明保護部材１はガラスや、透明なアクリル、ポリカーボネートなどの樹脂材料によって形成されている。また、透明保護部材１は、表示パネル１０を収納する筐体１２を覆うように配置されるため、表示パネル１０の外形よりも大きい外形サイズのものが用いられる。また、図３に示すように、透明保護部材１は、表面１ａが露出されて表示装置１００に配置されている。一般的な表示装置のように透明保護部材１の周辺部を枠状のフレームで覆う構造では、フレームと透明保護部材１の表面１ａとの間に段差が生じ、機能性や意匠性が低下するが、本構成を適用することで携帯電話や携帯型端末情報などにおいて、機能性や意匠性を高めることができる。
【００１５】
＜印刷部＞
図３に示すように、透明保護部材１の表示パネル１０と対向する面であって、視認側と反対側である裏面１ｃの周辺領域ＡＲに、印刷部３が形成されている。周辺領域ＡＲは、表示パネル１０の表示領域ＤＲより、透明保護部材１の端部１ｂまでの領域である。印刷部３は表示領域ＤＲと略同じ大きさの開口部３ａを有し、透明保護部材１の端部１ｂまでの領域の範囲内である周辺領域ＡＲにインク等を塗布することで形成される。透明保護部材１の周辺領域の印刷部３を黒色などの遮光する色のインクで形成させることにより、バックライト１１からの出射光が表示パネル１０の表示領域ＤＲの外側や、対向基板７の周辺部から漏れた光が表示装置１００の表示面から視認することを防ぐことができる。なお、印刷部３は、黒色のインク以外に意匠性を考慮し、別の色を用いてもよい。
【００１６】
＜シート＞
透明保護部材１の裏面１ｃの印刷部３を形成した領域である周辺領域ＡＲには、飛散防止のためのシート５が貼り付けられる。シート５はＰＥＴ（Ｐｏｌｅｔｈｙｌｅｎｅ  Ｔｅｒｅｐｈｔｈａｌａｔｅ：ポリエチレンテレフタレート）などのフィルム状の樹脂系材料で形成され、シート５の一方の面に樹脂材料を含む粘着部材４を有している。この粘着部材４により、シート５が透明保護部材１の裏面１ｃに貼り付けられている。なお、シート５の厚さは０．１ｍｍ程度が好ましい。
【００１７】
なお、シート５は、透明保護部材１の裏面１ｃに形成される印刷部３と同様に、表示パネル１０の表示領域ＤＲとほぼ同等の大きさの開口部５ａを有する枠形状のものを用いる。シート５は、シート５の開口部５ａと、印刷部３の開口部３ａとが同じ位置になるように配置し、印刷部３と重なる位置に貼り付けられる。
【００１８】
＜透明粘着材＞
次に、透明粘着材２について説明する。透明粘着剤２は、透明粘着材２は樹脂材料で構成されたシート状の粘着材もしくは樹脂材料を含む接着剤等の接着部材を用いる。透明粘着材２は、透明保護部材１に形成される印刷部３の開口部３ａと同等もしくは同等より大きいサイズのものすなわち、少なくとも表示領域ＤＲの範囲に対応して配置され、表示パネル１０を透明保護部材１に貼り付ける。なお、透明粘着材２は、表示パネル１０を構成する基板（本発明においてはガラス）に近い屈折率を備えており、表示パネル１０と透明保護部材１との間の多重反射を防止して視認性の低下を防止している。
【００１９】
本発明の表示装置１００は、表示装置１００を構成する筐体１２上に、筐体１２を覆うように透明保護部材１を配置する際、透明保護部材１の裏面１ｃにおいて、表示パネル１０の表示領域ＤＲに対応する位置に配置された透明粘着材２により、表示パネル１０の表示面が貼り付けられている。また、表示領域ＤＲより、透明保護部材１の端部１ｂまでの領域である周辺領域ＡＲには、表示領域ＤＲに対応した開口部５ａを備えたシート５が粘着部材４を介して貼り付けられている。よって、透明保護部材１は、表示パネル１０の表示領域ＤＲと重なる位置には、表示パネル１０を貼り付けるための透明粘着材２が配置され、表示領域ＤＲより外側である周辺領域ＡＲには、粘着部材４を介してシート５を配置したため、透明保護部材１に外部から圧力や、衝撃が与えられ、透明保護部材１が破損した場合であっても、表示領域ＤＲは透明粘着材２により、周辺領域ＡＲは粘着部材４を備えたシート５により、透明保護部材１の破片が飛散することを防止できる。これにより、表示装置１００の外部からの圧力や衝撃が与えられた場合であっても、安全性を確保できる。
【００２０】
また、本発明の表示装置１００は、透明粘着材２により表示パネル１０の表示領域ＤＲの飛散防止機能を備えるとともに、周辺領域ＡＲのみに粘着部材４を介してシート５を貼り付けるという構成であるため、新たな部品の追加を最小限に抑え、容易に組立てが可能となる。
【００２１】
また、周辺領域ＡＲに対応して、印刷部３を形成したため、バックライト１１からの出射光が表示パネル１０の表示領域ＤＲや対向基板の周辺部から漏れた光が表示面から視認することを防止することができる。
【００２２】
なお、本発明の周辺領域ＡＲに配置した、シート５は、粘着部材４を介して透明保護部材１に貼り付けられているが、粘着部材４が配置されていれば、透明保護部材１の破片が飛散することを防止することができる。また、粘着部材４に対応してシート５を配置することで、粘着部材４が他部材等と接着することを防止することができる。
【００２３】
また、粘着部材４を介してシート５を透明保護部材１の周辺領域ＡＲに貼り付けることで、透明保護部材１の剛性を高めることができ、透明保護部材１が破損することを防止できる。
【００２４】
さらに、シート５は、所望の模様等を形成させて周辺領域ＡＲに配置させることができ、これにより意匠性を向上させることができる。
【００２５】
また、本発明に用いるシート５は、図１に示すように開口部５ａを形成させた連続した枠形状のものを一例として説明したが、周辺領域ＡＲの形状およびサイズに合わせて適宜分割したシート５を用いてもよい（図示せず）。分割したシート５を複数用いることで、シート５のコストを下げることができ、かつ、位置決め等の作業性を向上させることができる。
【００２６】
実施の形態２．
図４は本発明の実施の形態２に係る表示装置１００の断面図であり、図中、図１と同等の部分には同一符号を付して示している。
【００２７】
実施の形態１に係る液晶表示装置においては、透明保護部材１に貼り付けられている透明粘着材２は表示領域ＤＲに対応して配置し、透明保護部材１の端部１ｂまでの領域である周辺領域ＡＲに、表示領域ＤＲに対応した開口部５ａを有するシート５を配置していたが、本実施の形態２に係る表示装置１００においては、シート５の開口部５ａを表示領域ＤＲよりも大きく構成した。なお、本構成以外は、実施の形態１と同様であり、同様の部分の説明は省略する。
【００２８】
図４に示すように、シート５の開口部５ａは、表示領域ＤＲよりも大きく形成され、飛周辺領域ＡＲの範囲内に配置される。印刷部３の開口部３ａよりも大きく、表示領域ＤＲに配置する透明粘着材２の大きさと同じかやや大きいものを配置し、シート５の開口部５ａの端部と透明粘着材２の開口部５ａと対向する端部とが所定の間隔Ｄを備えて配置される構成とする。シート５の開口部５ａと、透明粘着材２との間隔Ｄは好ましくは０ｍｍより大きく５ｍｍより小さくなるように配置される。
【００２９】
このように、透明保護部材１の裏面１ｃにおいて、シート５を透明粘着材２と間隔Ｄを備えて配置しているので、透明保護部材１を透明粘着材２によって表示パネル１０に貼り付ける際、透明粘着材２がシート５の開口部５ａに配置されることにより段差となることを防止または段差となる範囲を狭くすることができる。シート５の開口部５ａに配置される透明粘着材２が、段差となることを防止できるため、透明保護部材１の裏面１ｃにおいて、シート５の開口部５ａ端と透明粘着材２との間に段差が起因する隙間を防止して、透明粘着材２に発生する気泡を防止できる。よって、透明保護部材１に飛散防止の構造をとった場合であっても、気泡による表示不良が発生しない表示装置１００を得ることができる。
【００３０】
実施の形態３．
図５は本発明の実施の形態３に係る表示装置１００の断面図であり、図中、図１と同等部分には同一符号を付して示している。
【００３１】
本実施の形態３に係る表示装置では、実施の形態１または実施の形態２で用いた印刷部３を形成せず、シート５１を、遮光性を有する部材で形成している。なお、本構成以外は、実施の形態１、２と同様であるため、説明は省略する。
【００３２】
図５に示すシート５１は、黒色の顔料などが練り込まれた材料を使用して形成した。または、シート５の一方の面に備えられた粘着部材４１に同様の顔料が練りこまれた材料を使用してもよい。
【００３３】
このように、本実施の形態３ではシート５１を遮光性の材料で形成したので、シートに飛散防止機能と、遮光機能を備えることができるため、透明保護部材1の周辺領域に遮光のための印刷等を施す必要がなくなり、表示装置１００を安価に作成することができる。また、表示装置１００の組立作業性が向上する。
【００３４】
なお、本発明において、上記各実施の形態で限定されるものではなく、本発明を逸脱しない範囲で適宜変更、組合せが可能である。
【符号の説明】
【００３５】
１  透明保護部材、１ａ  表面、  １ｂ  端部、  １ｃ  裏面、
２  透明粘着材、３  印刷部、４、４１  粘着部材、５、５１  シート、
５ａ  開口部、６  上偏光板、７  対向基板、８  ＴＦＴ基板、９  下偏光板、
１０  表示パネル、ＤＲ  表示領域、ＡＲ  周辺領域、１１  バックライトユニット、
１２  筐体、１００  表示装置。
【図１】
0005938858.tif 000002
【図２】
0005938858.tif 000003
【図３】
0005938858.tif 000004
【図４】
0005938858.tif 000005
【図５】
0005938858.tif 000006